(57)【要約】  【課題】鍵に設定される識別情報の変更を手軽に行うことができる電子ロックシステムを提供することを目的とする。  【解決手段】本実施形態に係る電子キー１０は、絶縁体からなるキー本体１１と、導電性材料からなる導電ネジ１２、導電路１３、円柱状の導電部材１４とを備えている。キー本体１１のステム部１１ａの側面には、複数のネジ孔１１ｂが設けられている。導電ネジ１２は全てのネジ孔１１ｂに挿入されているのに対して、導電部材１４は所定のネジ孔１１ｂにのみ挿入されており、この導電部材の有無により、電子キー１０の識別情報を構成している。電子錠２０は、制御回路２２により、電子キー１０の各ネジ孔の導電状態をチェックすることで、識別情報を取得し、認証チェックを行う。【選択図】図２
2008261092.tif 000002
【特許請求の範囲】
【請求項１】
錠側に差し込まれる挿入部分に複数の孔が設けられたキー本体と、
前記孔に挿入されることで、当該孔を導電状態とする導電体であって、前記複数の孔のうちの所定の孔に配置されることで識別情報を形成する導電体と、
前記孔の導電状態をチェックするための導電路であって、外部に露出する一端と、前記孔の内側端に接する他端とを有する導電路と、
を備えることを特徴とする電子キー。
【請求項２】
前記導電体は、前記孔の外側に配置される第１導電体と、内側に配置される第２導電体からなり、前記第１導電体は全ての孔に挿入され、前記第２導電体の有無で識別情報を形成することを特徴とする請求項１記載の電子キー。
【請求項３】
請求項１に係る電子キーの識別情報を認証するための電子錠であって、
前記導電体に接触するために前記複数の孔に対向する位置に設けられた複数の導電体用端子と、
前記導電路の一端と接触する位置に設けられた導電路用端子と、
認証用の識別情報を保持する認証用識別情報保持手段と、
前記導電路用端子と前記各導電体用端子との間が導電状態にあるか否をチェックすることで差し込まれた電子キーの識別情報を取得すると共に、取得した識別情報が前記認証用識別情報と一致するか否かを判定する制御回路と、
を備えることを特徴とする電子錠。
【請求項４】
前記認証用識別情報保持手段は、識別情報も含めて前記電子キーと同じ構造を持つ認証用電子キーであることを特徴とする請求項３記載の電子錠。
【請求項５】
請求項１に係る電子キーと、請求項３に係る電子錠とを備える電子ロックシステム。
【発明の詳細な説明】
【技術分野】
【０００１】
本発明は、電子的照合により鍵の認証を行う電子ロックシステムに関する。
【背景技術】
【０００２】
従来から、オフィスビルや一般住宅のロックシステムが種々提供されている。例えば、下記特許文献１には、鍵のステム部の側端縁に磁石を埋設し、この埋設パターンにより鍵の認証を行うタイプのマグネットキーが開示されている
【特許文献１】特開平１１−２００６７９号公報
【０００３】
また、下記特許文献２には、鍵側に光透過部と光遮断部とを設けると共に、錠側に光源と受光センサを設け、光学的に鍵のパターンの認証を行い、ソレノイドコイルにより電磁的にロックの施錠・解錠を行うタイプの光選別キー及び光選別用鍵穴が開示されている。
【特許文献２】特開平６−２４０９３５号公報
【０００４】
また、下記特許文献３には、電子キー内の不揮発性メモリにＩＤデータを保存しておき、電気錠と電子キーとの間において電磁波により通信することで鍵の認証を行うタイプの電子キー及びこれを用いた電池駆動式電気錠が開示されている。
【特許文献３】特開２００６−２００２５８号公報
【発明の開示】
【発明が解決しようとする課題】
【０００５】
しかし、特許文献１乃至３に開示されている鍵は、認証のためのＩＤやパターンを利用者が変更できるものではない。例えば、特許文献１及び２では、鍵の製造時にパターンを決めると、その後は、容易にパターンを変更することはできない。したがって、利用者が鍵を紛失してしまった場合には、鍵と錠からなるシステム全体を交換する必要が出てくるし、引越等により利用者が変更になった場合も、安全のために鍵と錠の双方を交換する必要があり、コストも増大してしまう。
【０００６】
一方、特許文献３に開示されている電子キーでは、理論的にはＩＤデータの書き換えを行うことで、ＩＤの変更が可能であるが、書き換えのためには専用の装置が必要となり、操作も難しく、コストもかかってしまう。よって、マンション等の集合住宅の住人が、鍵を紛失した際に手軽にＩＤを変更するといったことはできない。
【０００７】
本発明は、このような課題を解決するためになされたものであり、鍵に設定される識別情報の変更を手軽に行うことができる電子ロックシステムを提供することを目的とする。
【課題を解決するための手段】
【０００８】
上記課題を解決するために、本発明に係る電子キーは、錠側に差し込まれる挿入部分に複数の孔が設けられたキー本体と、前記孔に挿入されることで、当該孔を導電状態とする導電体であって、前記複数の孔のうちの所定の孔に配置されることで識別情報を形成する導電体と、前記孔の導電状態をチェックするための導電路であって、外部に露出する一端と、前記孔の内側端に接する他端とを有する導電路と、を備えることを特徴とする。
【０００９】
また、本発明に係る請求項１に係る電子錠は、上記電子キーの識別情報を認証するための電子錠であって、前記導電体に接触するために前記複数の孔に対向する位置に設けられた複数の導電体用端子と、前記導電路の一端と接触する位置に設けられた導電路用端子と、認証用の識別情報を保持する認証用識別情報保持手段と、前記導電路用端子と前記各導電体用端子との間が導電状態にあるか否をチェックすることで差し込まれた電子キーの識別情報を取得すると共に、取得した識別情報が前記認証用識別情報と一致するか否かを判定する制御回路と、を備えることを特徴とする。
【発明の効果】
【００１０】
本発明に係る電子ロックシステムによれば、電子キーの識別情報の変更を手軽に行える電子ロックシステムを提供することができ、セキュリティを向上させることができる。
【発明を実施するための最良の形態】
【００１１】
以下、本発明の実施形態に係る電子ロックシステムについて詳細に説明する。本実施形態に係る電子ロックシステムは、電子キーと電子錠とから構成される。図１は、本実施形態に係る電子キーを示す図であり、図１（ａ）が上面図、図１（ｂ）が側面図を示している。図２は、図１（ｂ）のＡ−Ａ線における断面図を示している。
【００１２】
図１及び図２に示すように、電子キー１０は、絶縁体からなるキー本体１１と、導電性材料からなる導電ネジ１２ａ〜１２ｌ、導電路１３、円柱状の導電部材１４ａ〜１４ｆとを備えている。本体１１は、通常のキーと同様の形状を有し、錠側のシリンダーに差し込まれるステム部１１ａの中心には、導電路１３が形成されるための空間が形成されている。この空間は、本体１１の先端と、先端付近の一方の側面において、外部に露出する。
【００１３】
また、本体１１のステム部１１ａの両側面には、導電ネジ１２及び導電部材１４を挿入するためのネジ孔（めねじ）１１ｂが、それぞれ６個ずつ所定の間隔で形成されている。このネジ孔１１ｂは、上記導電路１３が形成される空間と連通している。なお、ネジ孔１１ｂのネジ溝は、孔の表面側半分、すなわち導電ネジ１２が挿入される部分だけに形成されている。
【００１４】
図３は、上記本体１１のネジ孔１１ｂに挿入される導電ネジ（おねじ）１２及び導電部材１４の斜視図である。導電ネジ１２ａ〜１２ｌは導電性材料から円柱状に形成されており、側面にはネジ溝が形成されている。また、導電ネジ１２の上面には、マイナスの溝（すりわり）が刻まれており、マイナスドライバー等により、容易に導電ネジ１２を回すことができる。
【００１５】
導電部材１４ａ〜１４ｆも導電性材料から円柱状に形成されている。但し、導電部材１４にはネジ溝は形成されておらず、その直径は導電ネジ１２よりも小さい。この導電ネジ１２と導電部材１４の高さを足すと、ちょうどネジ孔１１ｂの長さと同じである。ネジ孔１１に挿入される際には、導電部材１４が先に内側に挿入され、その後、外側に導電ネジ１２がねじ込まれて固定される。
【００１６】
また、図２に示すように、導電ネジ１２ａ〜１２ｌは、１２個のネジ孔１１ｂ全てに挿入されているのに対して、導電部材１４ａ〜１４ｆは、所定のネジ孔１１ｂにのみ挿入されている。本実施形態では、上下で交互に３個ずつの導電部材１４がネジ孔１１ｂに挿入されている。導電部材１４が挿入されている箇所では、導電路１３と導電ネジ１２が導電状態となり、導電部材１４が挿入されていない箇所では、導電路１３と導電ネジ１２が絶縁状態となるから、導電部材１４の有無の組合せにより、電子キー１０の識別情報である認証パターンを多数作ることができる。すなわち、この導電部材１４が、電子キーの識別情報を決定するための導電体として機能している。
【００１７】
本実施形態では、両側に１２個のネジ孔１１ｂがあるので、１０２４通りの認証パターンを作ることができる。もちろん、ネジ孔１１ｂの数は適宜変更可能であるので、セキュリティを高めるために認証パターンの数を増やしたい場合には、ネジ孔１１ｂの数をさらに増やせば良い。
【００１８】
導電路１３は、導電材料から形成され、上記電子キー１０の本体１１のステム部１１ａ内に延在する空間内に充填されている。導電路１３は、全てのねじ孔１１ｂの内側端に接しており、ネジ孔１１ｂ内に挿入される導電部材１４と接触することになる。また、本体１１のステム部１１ａ先端において、導電路１３は外部に露出する先端露出部１３ｂを有すると共に、同ステム部１１ａ先端付近側面に露出する先端側面露出部１３ａを有している。電子キー１０が後述する電子錠のシリンダーに挿入されたときに、この露出部１３ａ，ｂは錠側の端子と接触することになる。
【００１９】
次に、図４を参照しながら、本実施形態に係る電子ロックシステムの電子錠２０の構成について説明する。図４は、電子錠２０の構成を概略的に示す図である。同図に示すように、電子錠２０は、シリンダー２１、制御回路２２、配線２５、駆動手段２６、認証キー３０、認証キー用シリンダー３１、認証キー用端子３２を有している。
【００２０】
シリンダー２１は、扉の外から利用者がシリンダー内に電子キー１０を差し込むことができる位置に配置され、例えば、扉の室外側ノブに取り付けられる。シリンダー２１には、差し込まれた電子キー１０の導電ネジ１２と接触するための導電ネジ用端子２３ａ〜２３ｌと、導電路１３の露出部１３ａ，ｂと接触するための導電路用端子２４ａ〜２４ｃが設置されている。
【００２１】
認証キー３０は、電子キー１０と同じ構成であり、使用者は、電子キー１０と認証キー３０とを同じ認証パターンとなるように作成する。認証キー用シリンダー３１は、扉の内側に設置され、使用者は常時認証キー３０を認証キー用シリンダー３１に差し込んでおく必要がある。認証キー用シリンダー３１の構成もシリンダー２１と同じであり、認証キー用シリンダー３１には、認証キー３０の導電ネジ及び導電路と接触するための端子３２が設置されている。
【００２２】
制御回路２２は、配線２５によりシリンダー２１の端子２３，２４及び認証キー用シリンダー３１の端子３２と接続されており、図示しない電源（例えば、ＡＣ電源等）から電力を供給され、順次所定の配線２５に電流を流し、電子キー１０の認証パターンと認証キー３０の認証パターンとが完全に一致しているか否かをチェックする機能を有する。
【００２３】
具体的には、まず導電路用端子２４ｂと、同端子２４ａ又は２４ｃの何れが導電状態にあるかをチェックする。上述したように、導電路１３の先端側面露出部１３ａは、一方の側面にのみ露出しているので、導電路用端子２４ａ又は２４ｃの何れが先端側面露出部１３ａと接触して導電しているかをチェックすることで、電子キー１０がどちらの側面を上にして差し込まれているかを確認することができる。このように、本実施形態では、先端側面露出部１３ａにより電子キー１０の向きを確認することができるので、リバーシブルタイプの鍵として使用でき、どちらを上にして挿入しても認証チェックを行うことが可能である。
【００２４】
続いて、制御回路２２は、導電路用端子２４ｂと、各導電ネジ用端子２３ａ〜２３ｌとの間で、どれが導電状態にあるか否かを順次チェックすることで、どのネジ孔１１ｂが導電状態にあるかをチェックする。すなわち、導電部材１４の有無をチェックし、電子キー１０の認証パターンを認識・取得する。
【００２５】
そして、制御回路２２は、同様に認証キー３０の認証パターンを認識し、電子キー１０の認証パターンと、認証キー３０の認証パターンが完全に一致するか否かをチェックする。一致した場合には、制御回路２２はロックを解錠するための信号を発信する。本実施形態では、駆動手段２６に対して駆動信号を発信し、駆動手段２６を駆動して図示しない電子錠１０のロックを解除する。例えば、駆動手段２６が、扉枠の係止穴に係止して施錠状態にあるデッドボルトを解錠方向に移動させて解錠状態とする。なお、駆動手段２６としては、電磁駆動手段や電気モータ等、適宜適切な駆動手段を採用すれば良い。
【００２６】
また、本実施形態に係る制御回路２２は、内部のメモリに管理用認証パターンを格納しており、管理用認証パターンを有するマスターキーであれば、認証キー２０と認証パターンが一致しない電子キーであっても、解錠動作を行うように構成されている。このように、マスターキーを使用可能にしておけば、マンション等の管理に便利である。
【００２７】
このような制御回路２２の機能は、制御回路２２内の演算装置が、制御回路２２内のメモリに格納されたプログラムを実行することで実現される。
【００２８】
以上、本実施形態に係る電子ロックシステムについて説明したが、続いて、本電子ロックシステムの使用態様について説明する。まず、使用者は、電子キー１０の識別情報である認証パターンを任意に設定する。すなわち、所望のネジ孔１１ｂには、導電部材１４を入れたうえで、導電ネジ１２をねじ込み、その他のネジ孔１１ｂには、導電部材１４を入れないで導電ネジ１２をねじ込み、電子キー１０に所望の認証パターンを組み込む。
【００２９】
次に、使用者は、作成した電子キー１０と全く同じ認証パターンの認証キー３０、すなわち電子キー１０のコピーを同様に作成する。そして、この認証キー３０を扉の内側に設置されている認証キー用シリンダー３１に差し込めば、電子ロックシステムのセットが完了する。
【００３０】
電子ロックシステムを解錠する際には、扉外側からシリンダー２１に電子キー１０を挿入する。このとき、電子キー１０はリバーシブルキーであるため、どちらを上にして挿入しても良い。電子キー１０が挿入されると、制御回路２２により、認証パターンのチェックが行われ、認証パターンが一致すれば、駆動手段２６を駆動されてロックが解錠される。
【００３１】
以上、本実施形態に係る電子ロックシステムについて詳細に説明したが、本実施形態に係る電子キー１０によれば、ドライバーを使って導電ネジ１２を外せば、手軽に導電部材１４の出し入れを行うことができ、電子キー１０の識別情報である認証パターンを簡単に変更することが可能である。したがって、定期的に認証パターンを変える等すれば、セキュリティを格段に向上させることができる。
【００３２】
特に、従来の通常の鍵やマグネットキー等は、自分で合い鍵を作ったり、鍵の識別情報を変更したりすることができず、専門の業者に依頼する必要があったが、本発明に係る電子キーであれば、合い鍵の作成や識別情報の変更を短時間で手軽に行うことが可能である。したがって、電子キーを紛失した場合にも、すぐに錠側の認証用識別情報（認証パターン）を変更することで、短時間でセキュリティを確保することができる。
【００３３】
また、賃貸マンション等で入居者が変わる場合にも、本実施形態であれば、従来のように鍵及び錠の双方を取り替える必要がなく、電子キー及び認証キーの認証パターンを変更するだけで良いので、コスト的なメリットが大きい。
【００３４】
また、電子キー１０のステム部側面のネジ孔１１ｂには全て導電ネジ１２がねじ込まれ、内部の導電部材１４の有無によって認証パターンを特定しているため、電子キーを外部から見ただけでは、認証パターンを知ることができず、セキュリティ上安心できる。
【００３５】
また、本実施形態では、電子キー１０の識別パターンのチェックを、同じ鍵である認証キー３０を用いて行っているため、電子キー１０の識別パターンを変更した際には、同じように認証キー３０の識別パターンを変更するだけで、電子錠側の認証用識別情報を簡単に変更できる。特に、高齢者等、電子機器の操作に不慣れな者にとっては、変更後の識別パターンを錠側のメモリに記憶・登録させるといった複雑な操作をする必要が無く、便利である。
【００３６】
（変形例１）
続いて、本実施形態の変形例１について説明する。図５は、変形例１に係る電子キー４０の概略的な構成を示す図である。同図に示すように、本変形例１に係る電子キーは、本体のステム部先端に一方の角が欠けており、これにより、電子キー４０の挿入の際の上下を規制し、一方を上にした場合しか電子キーを差し込むことができないように、錠側のシリンダーも構成されている。その他の構成は、上記実施形態と同じである。
【００３７】
したがって、本変形例１では、上記実施形態のように、電子キーの挿入の向きを認識するための導電路１３の先端側面露出部１３ａや、導電路用端子２４ａ，ｃが不要となり、装置構成を簡略化することができる。
【００３８】
（変形例２）
続いて、本実施形態の変形例２について説明する。図６は、本変形例２に係る電子キー５０の概略的な構成を示す図である。同図に示すように、変形例２に係る電子キー５０は、本体５１に充電可能な二次電池５２が内蔵されている。また、電子キー５０は、本体５１を挿入して持ち運ぶためのキーケース５３を備えており、キーケース５４には、図示しないクレードル等に電子キー５０を差し込んで二次電池５２に充電するための充電用端子５４が備えられている。その他の電子キー５０の構成は、上記実施形態に係る電子キーと同様である。
【００３９】
したがって、キーケース５３に本体５１を差し込んだ状態で、電子キー５０をＡＣ電源に接続されたクレードル等に裁置すると、二次電池５２に充電を行うことができる。
【００４０】
また、本変形例２に係る電子ロックシステムは、上記二次電池５２を駆動源として、錠側の各部材が動作するように構成されている。すなわち、電子キー５０がシリンダーに差し込まれたときの制御回路による認証チェックや、ロックを解錠するときの駆動手段の駆動も二次電池５２から電気が供給される。
【００４１】
したがって、本変形例２によれば、上記実施形態により得られる作用・効果に加えて、電子キー５０側に電子ロックシステムを駆動するための電源が内蔵されているため、錠側に電源を確保するための構成が不要である。このため、既存の建物の扉に後付で電子ロックシステムを設置する場合であっても、錠側の電源を確保するために、建物側を大幅に改造する必要がなく、電子錠を扉に取り付けるだけで済み、コストの低減や工期の短縮ができる。
【００４２】
以上、本実施形態及びその変形例に係る電子ロックシステムについて詳細に説明したが、本発明の実施形態は、上記実施形態等に限定されるものではなく。本発明の主旨を逸脱しない範囲内で種々の変形が可能であることは言うまでもない。
【００４３】
例えば、本実施形態に係る電子キーは、ステム部の両側面に認証パターンを形成するための導電ネジ及び導電部材からなる導電体を配置したが、一方の側面だけに配置しても良いし、側面ではなく上下面に設けても良い。もちろん、電子キーの形状も通常の鍵の形状ではなく、認証パターンを構成する導電体を保持できる形状であれば、棒状等の他の形状であっても良い。
【００４４】
また、本実施形態では、キー本体を絶縁体で構成し、導電体を錠側と通電させるために導電路を設置したが、キー本体を導電性材料で構成しても良い。この場合には、認証パターンである導電体や導電路を機能させるために、必要な箇所を絶縁体でカバーするように構成する必要がある。
【００４５】
また、本実施形態では、ネジ孔の半分の長さを有する導電ネジを全てのネジ孔の外側にねじ込むと共に、同じくネジ孔の半分の長さを有する導電部材を所定のネジ孔の内側に挿入し、導電部材の有無で認証パターンを形成するように構成しているが、各ネジ孔が導電状態にあるか否かを決定する導電体の構成は、もちろん導電ネジと導電部材との組合せに限定されるものではない。
【００４６】
例えば、識別情報を形成する導電体として、長短２種類の導電ネジを用いても良い。具体的には、ネジ孔の深さと同じ長さの長導電ネジと、ネジ孔の深さの半分の長さの短導電ネジとの２種類を用意する。この場合には、長導電ネジを挿入したネジ孔は、導電状態となり、短導電ネジを挿入した孔は、非導電状態となるため、長導電ネジの配置パターンにより識別情報である認証パターンを形成することができる。
【００４７】
また、本実施形態では、認証パターンを形成するための導電体を、固定を確実にするためにネジ孔の中にねじ込むように構成したが、ネジ溝の刻まれていない孔の中に、接着剤等によって固定して挿入するようにしても良い。但し、この場合にも、認証パターンを変更できるように、導電体の抜き差しが行えるような構成にする必要がある。
【００４８】
また、本実施形態では、電子キーと同じ識別情報を有する認証キーを電子錠側に備える構成としたが、電子錠側のメモリ内に、電子データとして電子キーの識別情報を記憶させるようにさせても良い。この場合には、使用者が電子キーの認証パターンを変更する度に、変更後の認証パターンを電子錠側のメモリ内に記憶させる必要がある。
【図面の簡単な説明】
【００４９】
【図１】図１は、本実施形態に係る電子キーの構成を示す図である。
【図２】図２は、図１（ｂ）のＡ−Ａ線における断面図である。
【図３】図３は、本実施形に係る導電ネジ及び導電部材の斜視図である。
【図４】図４は、本実施形態に係る電子錠の構成を概略的に示す図である。
【図５】図５は、本実施形態の変形例１に係る電子キーの構成を示す図である。
【図６】図６は、本実施形態の変形例２に係る電子キーの構成を示す図である。
【符号の説明】
【００５０】
１０          電子キー
１１          キー本体
１２          導電ネジ
１３          導電路
１４          導電部材
２０          電子錠
２１          シリンダー
２２          制御回路
２３          導電ネジ用端子
２４          導電路用端子
２５          配線
２６          駆動手段
３０          認証キー
３１          認証キー用シリンダー
３２          端子
【図１】
2008261092.tif 000003
【図２】
2008261092.tif 000004
【図３】
2008261092.tif 000005
【図４】
2008261092.tif 000006
【図５】
2008261092.tif 000007
【図６】
2008261092.tif 000008
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
錠側に差し込まれる挿入部分に複数の孔が設けられたキー本体と、
前記孔の外側に配置される第１導電体と、
前記孔の内側に配置される第２導電体と、
前記孔の導電状態をチェックするための導電路であって、外部に露出する一端と、前記孔の内側端に接する他端とを有する導電路と、
を備え、前記第１導電体は全ての孔に挿入されると共に、前記第２導電体は前記複数の孔のうちの所定の孔に配置されるものであり、前記第２導電体の有無で識別情報を形成することを特徴とする電子キー。
【請求項２】
請求項１に係る電子キーと、
前記電子キーの識別情報を認証するための電子錠であって、
前記第１導電体に接触するために前記複数の孔に対向する位置に設けられた複数の導電体用端子と、
前記導電路の一端と接触する位置に設けられた導電路用端子と、
認証用の識別情報を保持する認証用識別情報保持手段と、
前記導電路用端子と前記各導電体用端子との間が導電状態にあるか否をチェックすることで差し込まれた電子キーの識別情報を取得すると共に、取得した識別情報が前記認証用識別情報と一致するか否かを判定する制御回路と、
を有する電子錠と、
を備えることを特徴とする電子ロックシステム。
【手続補正２】
【補正対象書類名】明細書
【補正対象項目名】０００８
【補正方法】変更
【補正の内容】
【０００８】
上記課題を解決するために、本発明に係る電子キーは、錠側に差し込まれる挿入部分に複数の孔が設けられたキー本体と、前記孔の外側に配置される第１導電体と、前記孔の内側に配置される第２導電体と、前記孔の導電状態をチェックするための導電路であって、外部に露出する一端と、前記孔の内側端に接する他端とを有する導電路と、を備え、前記第１導電体は全ての孔に挿入されると共に、前記第２導電体は前記複数の孔のうちの所定の孔に配置されるものであり、前記第２導電体の有無で識別情報を形成することを特徴とする。
【手続補正３】
【補正対象書類名】明細書
【補正対象項目名】０００９
【補正方法】変更
【補正の内容】
【０００９】
また、本発明に係る電子ロックシステムは、上記電子キーと、上記電子キーの識別情報を認証するための電子錠であって、前記第１導電体に接触するために前記複数の孔に対向する位置に設けられた複数の導電体用端子と、前記導電路の一端と接触する位置に設けられた導電路用端子と、認証用の識別情報を保持する認証用識別情報保持手段と、前記導電路用端子と前記各導電体用端子との間が導電状態にあるか否をチェックすることで差し込まれた電子キーの識別情報を取得すると共に、取得した識別情報が前記認証用識別情報と一致するか否かを判定する制御回路と、を有する電子錠と、を備えることを特徴とする。